【手続補正書】
【提出日】平成22年2月22日(2010.2.22)
【手続補正１】
【補正対象書類名】特許請求の範囲
【補正対象項目名】全文
【補正方法】変更
【補正の内容】
【特許請求の範囲】
【請求項１】
ユーザのグループ間で共有するためのパブリックマップと共に１つ又はそれ以上のユーザ定義プライベートマップを表示するための方法であって、
エリア又はロケーションの公的に利用可能なマッピングを表すパブリックマップをインポートする段階と、
１つ又はそれ以上のユーザ定義プライベートマップを作成する段階と、
前記１つ又はそれ以上のユーザ定義プライベートマップを対応するマップアイコンのセットを介して前記パブリックマップにリンクさせる段階と、
前記パブリックマップ及び前記１つ又はそれ以上のユーザ定義プライベートマップを表示する段階と、
を含む方法。
【請求項２】
１つ又はそれ以上のユーザ定義プライベートマップを作成する段階が、
画像を取り込む段階と、
前記画像を用いてユーザ定義プライベートマップを生成する段階と、
を含む請求項１に記載の方法。
【請求項３】
前記画像が、
手書きマップと、
印刷マップと、
写真画像と、
スタジアムの座席表と、
劇場の座席表と、
建物のインテリアレイアウトと、
の少なくとも１つからなるグループから選択されたアイテムを含む請求項２に記載の方法。
【請求項４】
１つ又はそれ以上のユーザ定義プライベートマップを作成する段階が、
クライアントデバイスに記憶されている異なるパブリックマップをインポートする段階と、
ウェブサイトから異なるパブリックマップをダウンロードする段階と、
からなるグループから選択された少なくとも１つのステップを更に含む、
請求項１に記載の方法。
【請求項５】
前記１つ又はそれ以上のユーザ定義プライベートマップを前記パブリックマップにリンクさせる段階が、
前記パブリックマップと前記１つ又はそれ以上のユーザ定義プライベートマップとをリンクされたマップのセットとして関連付け、前記リンクされたマップのセットにおいて各マップがもう１つのマップにリンクされるようにする段階と、
前記対応するマップアイコンを介して前記リンクされたマップのセットにアクセスする段階と、
を含む請求項１に記載の方法。
【請求項６】
前記リンクされたマップのセットにおいて第１マップの単一のポイントを第２マップの単一のポイントに関連付ける段階と、
前記第１マップの座標系と前記第２マップの座標系との間の数学的変換を実施する段階と、
を更に含む請求項５に記載の方法。
【請求項７】
前記リンクされたマップのセットにおいて第１マップのエリアを第２マップに関連付ける段階と、
前記第１マップの座標系と前記第２マップの座標系との間の数学的変換を実施する段階と、
を更に含む請求項５に記載の方法。
【請求項８】
マップアイコンが、
前記ユーザ定義プライベートマップのサムネイル画像と、
前記ユーザ定義プライベートマップの名前と、
前記ユーザ定義プライベートマップにおけるユーザの数と、
前記ユーザ定義プライベートマップにおけるユーザ名のリストと、
の少なくとも１つからなるグループから選択されたアイテムを含む請求項１に記載の方法。
【請求項９】
マップアイコンが、
前記ユーザの画像と、
前記ユーザによって選択されたグラフィック画像と、
前記ユーザによって選択された語句と、
前記ユーザの感情状態を表すラベルと、
前記ユーザのステータスを表すラベルと、
前記ユーザによって実施された動作を表すラベルと、
の少なくとも１つからなるグループから選択されたアイテムを更に含む請求項８に記載の方法。
【請求項１０】
ユーザのグループ間で共有するためのパブリックマップと共に１つ又はそれ以上のユーザ定義プライベートマップを表示するためのデバイスであって、
コンピュータプログラムを実行するためのプロセッサと、
データを記憶するためのメモリと、
ユーザコマンドを入力するための入力モジュールと、
データを送信及び受信するための通信モジュールと、
画面上に情報を表示するためのディスプレイと、
エリア又はロケーションの公的に利用可能なマッピングを表すパブリックマップをインポートするための論理回路と、
１つ又はそれ以上のユーザ定義プライベートマップを作成するための論理回路と、
前記１つ又はそれ以上のユーザ定義プライベートマップを対応するマップアイコンのセットを介して前記パブリックマップにリンクさせるための論理回路と、
前記パブリックマップ及び前記１つ又はそれ以上のユーザ定義プライベートマップを表示するための論理回路と、
を含むデバイス。
【請求項１１】
１つ又はそれ以上のユーザ定義プライベートマップを作成するための前記論理回路が、
画像を取り込むための論理回路と、
前記画像を用いてユーザ定義プライベートマップを生成するための論理回路と、
を含む請求項１０に記載のデバイス。
【請求項１２】
１つ又はそれ以上のユーザ定義プライベートマップを作成するための前記論理回路は、
クライアントデバイスに記憶されている異なるパブリックマップをインポートするための論理回路と、
ウェブサイトから異なるパブリックマップをダウンロードするための論理回路と、
の少なくとも１つからなるグループから選択された論理回路を更に含む請求項１０に記載のデバイス。
【請求項１３】
前記１つ又はそれ以上のユーザ定義プライベートマップを前記パブリックマップにリンクさせるための前記論理回路が、
前記パブリックマップと前記１つ又はそれ以上のユーザ定義プライベートマップとをリンクされたマップのセットとして関連付けて、前記リンクされたマップのセットにおいて各マップがもう１つのマップにリンクされるようにする論理回路と、
前記対応するマップアイコンを介して前記リンクされたマップのセットにアクセスするための論理回路と、
を含む請求項１０に記載のデバイス。
【請求項１４】
ユーザのグループ間で共有するためのパブリックマップと共に１つ又はそれ以上のユーザ定義プライベートマップを表示するためのシステムであって、
ユーザロケーション情報を記憶するためのバックエンドロケーション記憶サーバと、
マップを処理するためのバックエンドマップサーバと、
クライアントデバイス、前記バックエンドロケーション記憶システム、及び前記バックエンドマップサーバ間を通信ネットワークを介してインタフェース接続するためのフロントエンドマップサーバと、
を含み、
更に前記フロントエンドマップサーバが、
エリア又はロケーションの公的に利用可能なマッピングを表すパブリックマップをインポートするための手段と、
１つ又はそれ以上のユーザ定義プライベートマップを作成するための手段と、
前記１つ又はそれ以上のユーザ定義プライベートマップを対応するマップアイコンのセットを介して前記パブリックマップにリンクさせるための手段と、
前記パブリックマップ及び前記１つ又はそれ以上のユーザ定義プライベートマップを前記ユーザのグループに表示するための手段と、
を含む、
ことを特徴とするシステム。
【請求項１５】
１つ又はそれ以上のユーザ定義プライベートマップを作成するための前記手段が、
クライアントデバイスから画像を受け取るための手段と、
前記画像を用いてユーザ定義プライベートマップを生成するための手段と、
を含む請求項１４に記載のシステム。
【請求項１６】
１つ又はそれ以上のユーザ定義プライベートマップを作成するための前記手段が、
前記バックエンドロケーション記憶サーバに記憶されている異なるパブリックマップをインポートするための手段と、
ウェブサイトから異なるパブリックマップをダウンロードするための手段と、
の少なくとも１つからなるグループから選択された手段を更に含む請求項１４に記載のシステム。
【請求項１７】
前記１つ又はそれ以上のユーザ定義プライベートマップを前記パブリックマップにリンクさせるための前記手段が、
前記パブリックマップと前記１つ又はそれ以上のユーザ定義プライベートマップとをリンクされたマップのセットとして関連付けて、前記リンクされたマップのセットにおいて各マップがもう１つのマップにリンクされるようにする手段と、
前記対応するマップアイコンを介して前記リンクされたマップのセットにアクセスするための手段と、
を含む請求項１４に記載のシステム。